(57)【要約】【課題】閉動限近くまで閉じられた引き戸を確実に閉動限まで移動させて保持させることができる引き戸閉止装置を提案する。【解決手段】取付けユニット８には、引き戸移動方向に移動自在な可動体１１と、可動体１１に水平揺動自在に軸支され且つ引き戸側の係合片７と係脱自在な被係合片１２と、可動体１１を引き戸閉動方向側の行程限に付勢保持するスプリング１３と、被係合片１２に設けられたカム従動部２５に作用する姿勢制御用カム２９が設けられ、この姿勢制御用カム２９は、直線経路部２９ａと折曲経路部２９ｂとを備え、この折曲経路部２９ｂによって被係合片１２が、係合片７の係脱動作を許す傾倒姿勢に保持されると共に可動体１１が引き戸開動方向側の行程限で保持され、被係合片１２が傾倒姿勢から係合姿勢に切り換わったときにカム従動部２５が当接する直線経路部２９ａに、カム従動部２５との摩擦抵抗を増大させる制動面３６が形成された構成。【選択図】図１８
2011226188.tif 000002
【特許請求の範囲】
【請求項１】
引き戸に取り付けられる係合片と、引き戸移動経路脇に取り付けられる取付けユニットとから成り、取付けユニットには、引き戸移動方向と平行に移動自在な可動体と、この可動体に垂直支軸の周りで水平揺動自在に支承され且つ前記係合片と係脱自在な被係合片と、前記可動体を引き戸閉動方向側の行程限に付勢保持するスプリングと、前記被係合片に設けられたカム従動部に作用する姿勢制御用カムが設けられ、この姿勢制御用カムは、前記可動体が引き戸閉動方向側の行程限から引き戸開動方向側の行程限直前迄の間にあるときには前記被係合片を前記係合片に対する係合姿勢に保持する直線経路部と、前記可動体が引き戸開動方向側の行程限に達したときに、前記係合片の係脱動作を許す傾倒姿勢と前記係合姿勢との間で前記被係合片が揺動するのを許す折曲経路部とを備え、この折曲経路部は、前記被係合片のカム従動部と前記スプリングの付勢力とを介して、前記被係合片を傾倒姿勢に保持すると共に前記可動体を引き戸開動方向側の行程限に保持するように形成され、傾倒姿勢に保持されている前記被係合片に引き戸の前記係合片が係合して引き戸閉動方向に移動することにより、当該被係合片が係合姿勢に切り換えられると共に引き戸開動方向側の行程限での前記可動体の保持が解除されるように構成され、前記姿勢制御用カムには、前記被係合片が傾倒姿勢から係合姿勢に切り換わったときにカム従動部が当接する前記直線経路部に、当該カム従動部との摩擦抵抗を増大させる制動面が形成されている、引き戸の閉止装置。
【請求項２】
前記取付けユニットには、前記可動体の往復移動に連動して回転し且つ前記可動体の引き戸閉動方向への移動に対して負荷をかけるロータリーダンパーが設けられている、請求項１に記載の引き戸の閉止装置。
【請求項３】
前記被係合片のカム従動部は、被係合片から垂直に突設された円柱状ピンで構成され、前記姿勢制御用カムの直線経路部と折曲経路部とは、前記カム従動部が嵌合して移動する溝形に構成され、前記制動面は、前記折曲経路部に続く直線経路部の終端側領域の両側面の内、前記折曲経路部が折曲する側とは反対の外側面に沿って付設された軟質合成樹脂製の帯状体で構成されている、請求項１又は２に記載の引き戸の閉止装置。
【請求項４】
前記帯状体は、前記姿勢制御用カムの折曲経路部側の端部に柱状膨大部が一体成形されると共に、前記姿勢制御用カムの直線経路部内に面しない外側面側に長さ方向適当間隔おきに外向きに突出する複数の突起が一体成形され、取付けユニットの前記姿勢制御用カムが設けられたケース部材には、前記柱状膨大部が垂直に嵌入固定される柱状凹部と、前記各突起が水平に嵌入固定される複数の孔とが、前記姿勢制御用カムの直線経路部の外側に連通連設されている、請求項３に記載の引き戸の閉止装置。
【請求項５】
前記被係合片の前記可動体と重なる側には、前記可動体の端部に設けられた軸受け孔に嵌合する前記垂直支軸が突設され、当該被係合片の反対側には、前記垂直支軸と同心状に突出する第二垂直支軸と前記カム従動部とが突設され、前記取付けユニットの前記姿勢制御用カムが設けられたケース部材には、前記第二垂直支軸が嵌合して滑動する案内溝が前記可動体の移動方向と平行に設けられ、この案内溝の両側面の内、前記姿勢制御用カムの直線経路部のある側とは反対側の側面で、前記姿勢制御用カムの折曲経路部に近い終端側領域には、前記第二垂直支軸との摩擦抵抗を増大させる第二制動面が形成されている、請求項１〜４の何れか１項に記載の引き戸の閉止装置。
【請求項６】
前記第二制動面は、前記案内溝の側面に付設された軟質合成樹脂製の帯状体で構成されている、請求項５に記載の引き戸の閉止装置。
【請求項７】
前記第二制動面を構成する帯状体は、その長さ方向の両端に柱状膨大部が一体成形され、取付けユニットの前記案内溝が設けられたケース部材には、帯状体両端の前記柱状膨大部が垂直に嵌入固定される柱状凹部が前記案内溝の外側に連通連設されている、請求項６に記載の引き戸の閉止装置。
【発明の詳細な説明】
【技術分野】
【０００１】
本発明は、閉動限近くまで閉じられた引き戸を確実に閉動限まで自動的に移動させて保持させることが出来る引き戸の閉止装置に関するものである。
【背景技術】
【０００２】
この種の引き戸の閉止装置としては、先行技術文献を例示するまでもなく従来周知のように、引き戸側に設けられた係合片を一対のバネ板などから成るキャッチ手段で閉動限まで引き込んで保持するものが知られている。
【発明の概要】
【発明が解決しようとする課題】
【０００３】
しかしながら従来のキャッチ手段では、引き戸の引き込み量は僅かであり、引き戸の操作者は、引き戸を実質的に閉動限まで移動させる必要があり、閉動限の少し手前まで移動させれば後は自動的に閉じるというようなものではなかった。又、比較的大重量の引き戸の場合、当該引き戸を勢い良く閉じたときは、閉動限で確実に保持させることが困難であり、反動で開いたままになる恐れも大きかった。
【課題を解決するための手段】
【０００４】
本発明は、上記のような従来の問題点を解消することの出来る引き戸の閉止装置を提案するものであって、請求項１に記載の本発明に係る引き戸の閉止装置は、後述する実施例との関係を理解し易くするために、当該実施例の説明において使用した参照符号を括弧付きで付して示すと、引き戸(4,5)に取り付けられる係合片(6,7)と、引き戸移動経路脇に取り付けられる取付けユニット(8)とから成り、取付けユニット(8)には、引き戸移動方向と平行に移動自在な可動体(11)と、この可動体(11)に垂直支軸(23)の周りで水平揺動自在に支承され且つ前記係合片(6,7)と係脱自在な被係合片(12)と、前記可動体(11)を引き戸閉動方向(CD)側の行程限に付勢保持するスプリング(13)と、前記被係合片(12)に設けられたカム従動部(25)に作用する姿勢制御用カム(29)が設けられ、この姿勢制御用カム(29)は、前記可動体(11)が引き戸閉動方向(CD)側の行程限から引き戸開動方向(OD)側の行程限直前迄の間にあるときには前記被係合片(12)を前記係合片(6,7)に対する係合姿勢に保持する直線経路部(29a)と、前記可動体(11)が引き戸開動方向(OD)側の行程限に達したときに、前記係合片(6,7)の係脱動作を許す傾倒姿勢と前記係合姿勢との間で前記被係合片(12)が揺動するのを許す折曲経路部(29b)とを備え、この折曲経路部(29b)は、前記被係合片(12)のカム従動部(25)と前記スプリング(13)の付勢力とを介して、前記被係合片(12)を傾倒姿勢に保持すると共に前記可動体(11)を引き戸開動方向(OD)側の行程限に保持するように形成され、傾倒姿勢に保持されている前記被係合片(12)に引き戸(4,5)の前記係合片(6,7)が係合して引き戸閉動方向(CD)に移動することにより、当該被係合片(12)が係合姿勢に切り換えられると共に引き戸開動方向(OD)側の行程限での前記可動体(11)の保持が解除されるように構成され、前記姿勢制御用カム(29)には、前記被係合片(12)が傾倒姿勢から係合姿勢に切り換わったときにカム従動部(25)が当接する前記直線経路部(29a)に、当該カム従動部(25)との摩擦抵抗を増大させる制動面(36)が形成された構成になっている。
【０００５】
上記本発明を実施する場合、具体的には請求項２に記載のように、前記取付けユニット(8)には、前記可動体(11)の往復移動に連動して回転し且つ前記可動体(11)の引き戸閉動方向(CD)への移動に対して負荷をかけるロータリーダンパ(14)を設けることが出来る。尚、引き戸(4,5)の開動操作は前記スプリング(13)の付勢力に抗して開始されることになり、このとき、可動体(11)の移動に連動してロータリーダンパー(14)の受動軸(14b)も回転するが、このときのロータリーダンパー受動軸(14b)の回転方向では負荷が掛からないロータリーダンパー、又は可動体(11)の引き戸開動方向(OD)への移動時はロータリーダンパー受動軸(14b)が回転しない一方向伝動手段を当該可動体(11)とロータリーダンパー受動軸(14b)との間に介装すれば、引き戸(4,5)の開動操作開始時にロータリーダンパー(14)が負荷として働くのを防ぐことが出来る。
【０００６】
又、請求項３に記載のように、前記被係合片(12)のカム従動部(25)は、被係合片(12)から垂直に突設された円柱状ピンで構成し、前記姿勢制御用カム(29)の直線経路部(29a)と折曲経路部(29b)とは、前記カム従動部(25)が嵌合して移動する溝形に構成し、前記制動面(36)は、前記折曲経路部(29b)に続く直線経路部(29a)の終端側領域の両側面の内、前記折曲経路部(29b)が折曲する側とは反対の外側面に沿って付設された軟質合成樹脂製の帯状体(15)で構成することが出来る。この場合、請求項４に記載のように、前記帯状体(15)は、前記姿勢制御用カム(29)の折曲経路部(29b)側の端部に柱状膨大部(15a)を一体成形すると共に、前記姿勢制御用カム(29)の直線経路部(29a)内に面しない外側面側に長さ方向適当間隔おきに外向きに突出する複数の突起(15b)を一体成形し、取付けユニット(8)の前記姿勢制御用カム(29)が設けられたケース部材(9)には、前記柱状膨大部(15a)が垂直に嵌入固定される柱状凹部(35a)と、前記各突起(15b)が水平に嵌入固定される複数の孔(35b)とを、前記姿勢制御用カム(29)の直線経路部(29a)の外側に連通連設することが出来る。
【０００７】
又、請求項５に記載のように、前記被係合片(12)の前記可動体(11)と重なる側には、前記可動体(11)の端部に設けられた軸受け孔(22)に嵌合する前記垂直支軸(23)を突設し、当該被係合片(12)の反対側には、前記垂直支軸(23)と同心状に突出する第二垂直支軸(24)と前記カム従動部(25)とを突設し、前記取付けユニット(8)の前記姿勢制御用カム(29)が設けられたケース部材(9)には、前記第二垂直支軸(24)が嵌合して滑動する案内溝(28)を前記可動体(11)の移動方向と平行に設け、この案内溝(28)の両側面の内、前記姿勢制御用カム(29)の直線経路部(29a)のある側とは反対側の側面で、前記姿勢制御用カム(29)の折曲経路部(29b)に近い終端側領域には、前記第二垂直支軸(24)との摩擦抵抗を増大させる第二制動面(38)を形成することが出来る。この場合、請求項６に記載のように、前記第二制動面(38)は、前記案内溝(28)の側面に付設された軟質合成樹脂製の帯状体(16)で構成することが出来る。更にこの場合、請求項７に記載のように、前記第二制動面(38)を構成する帯状体(16)は、その長さ方向の両端に柱状膨大部(16a,16b)を一体成形し、取付けユニット(8)の前記案内溝(28)が設けられたケース部材(9)には、帯状体両端の前記柱状膨大部(16a,16b)が垂直に嵌入固定される柱状凹部(37a,37b)を前記案内溝(28)の外側に連通連設することが出来る。
【発明の効果】
【０００８】
請求項１に記載の本発明の構成によれば、傾倒姿勢に保持されている被係合片に引き戸側の係合片が係合して当該被係合片を係合姿勢に切り換える位置まで引き戸を閉動させれば、後は、前記被係合片を軸支する可動体を引き戸閉動方向側の行程限に付勢保持するスプリングの付勢力で引き戸を閉動限位置まで確実に移動させ、閉動限位置で引き戸を保持させることが出来る。又、引き戸を開くときは、引き戸側の係合片が係合している係合姿勢の被係合片が姿勢制御用カムによって傾倒姿勢に切り換えられる引き戸開動方向の行程限に前記可動体が達するまで、引き戸を前記スプリングの付勢力に抗して開動方向に移動させるだけで、後は、引き戸のみを単独で自由に開動させることが出来る。
【０００９】
しかも本発明の構成によれば、閉じる引き戸の係合片が傾倒姿勢に保持されている被係合片に係合するときの勢いが強くとも、傾倒姿勢から係合姿勢に切り換わるときのカム従動部が姿勢制御用カムの直線経路部の側面に形成された摩擦抵抗を増大させる制動面に衝突し、当該引き戸の閉動方向の勢いを前記制動面で吸収して制動することになるので、当該引き戸がそのままの勢いとスプリングの付勢力で閉動限まで移動して、衝撃を受けて停止するというような不都合な事態になるのを防止出来る。換言すれば、可動体を引き戸閉動方向に付勢するスプリングを強くすると、大重量の引き戸でも確実に閉動限まで移動させて保持することが出来るのであるが、当該スプリングは、被係合片を傾倒姿勢に保持する付勢力源でもあるので、当該スプリングを強くすると、引き戸を閉じる操作力が小さいときに当該引き戸が傾倒姿勢の被係合片で受け止められて停止してしまう恐れがある。従って、引き戸を勢い良く閉じる傾向になるが、このような場合でも、上記のように本発明の構成によれば、引き戸がそのままの勢いとスプリングの付勢力で閉動限まで移動して、衝撃を受けて停止するというような不都合な事態になるのを防止出来るのである。
【００１０】
尚、請求項２に記載の構成によれば、可動体を引き戸閉動方向に付勢するスプリング力で引き戸を閉動させる段階において、この閉動する引き戸をロータリーダンパーにより制動減速させて、閉動限に引き戸が衝撃的に衝突するのを防止し、緩やかに且つ安全に制止させることが出来る。しかもロータリーダンパーを採用しているので、引き戸移動経路脇に取り付けられる取付けユニットの全長を、引き戸移動方向に往復移動する可動体の全長に当該可動体の往復移動距離を加えた程度に短く構成することが出来るので、閉止装置全体を簡単容易且つ安価に実施することが出来る。
【００１１】
又、請求項３に記載の構成によれば、傾倒姿勢から係合姿勢に切り換わるときのカム従動部が当接する、摩擦抵抗を増大させる制動面を、軟質合成樹脂製の帯状体で簡単且つ安価に構成することが出来るのであるが、更に請求項４に記載の構成によれば、この軟質合成樹脂製の帯状体を所定位置に簡単容易に、しかも強固に取り付けることが出来、接着剤を併用しなければ、損傷又は劣化した前記軟質合成樹脂製の帯状体の取替えも簡単に行なえる。
【００１２】
本発明の構成では、閉じられる引き戸側の係合片が被係合片に係合して、当該被係合片を軸支している可動体と一体に閉動方向に移動するとき、被係合片を軸支している垂直支軸を介して可動体が引き戸移動方向に対し横向きの力を受ける。この横向きの力によって可動体の円滑な往復動が阻害される恐れがあるが、請求項５に記載の構成によれば、被係合片を軸支する垂直支軸と同心の第二垂直支軸を介して前記横向きの力を案内溝の側面で受けさせることが出来る。即ち、可動体に直接横向きの力が作用することがなくなるので、可動体を円滑に移動させることが出来るのであるが、更に請求項５に記載の構成によれば、前記第二垂直支軸と前記案内溝側の第二制動面とにより、引き戸が勢い良く閉じられるときのショックを更に吸収緩和させることが出来る。この場合、請求項６に記載の構成によれば、前記第二制動面を、軟質合成樹脂製の帯状体で簡単且つ安価に構成することが出来るのであるが、更に請求項７に記載の構成によれば、この第二制動面を構成する軟質合成樹脂製の帯状体を所定位置に簡単容易に、しかも強固に取り付けることが出来、接着剤を併用しなければ、損傷又は劣化した当該軟質合成樹脂製の帯状体の取替えも簡単に行なえる。
【図面の簡単な説明】
【００１３】
【図１】Ａ図は引き戸で開閉される収納空間の天井板を省いた状態での一部切欠き平面図、Ｂ図は天井板のある状態でのＡ図のＡ−Ａ線断面図、Ｃ図は天井板のある状態でのＡ図のＢ−Ｂ線断面図である。
【図２】Ａ図は取付けユニットの斜視図、Ｂ図は取付けユニットの分解斜視図である。
【図３】取付けユニットのスプリング側ケース部材を省いた状態での平面図である。
【図４】Ａ図はスプリング側ケース部材のある状態での図３のＣ−Ｃ線断面図、Ｂ図は同Ｄ−Ｄ線断面図である。
【図５】スプリング側ケース部材のある状態での図３のＥ−Ｅ線断面図である。
【図６】スプリング側ケース部材のある状態での図３のＦ−Ｆ線断面図である。
【図７】スプリング側ケース部材のある状態での図３のＧ−Ｇ線断面図である。
【図８】取付けユニットのスプリング側ケース部材を省いた状態での要部の一部横断平面図である。
【図９】図８のＨ−Ｈ線断面図である。
【図１０】被係合片を軸支した可動体の平面図である。
【図１１】図１０の底面図である。
【図１２】図１０の拡大右側面図である。
【図１３】図１０のＩ−Ｉ線断面図である。
【図１４】図１０のＪ−Ｊ線断面図である。
【図１５】図１０のＫ−Ｋ線断面図である。
【図１６】Ａ図は図１Ａの右側取付けユニットとこれに係合する引き戸側係合片とを示す一部縦断拡大右側面図、Ｂ図は図１Ａの左側取付けユニットとこれに係合する引き戸側係合片とを示す一部縦断拡大左側面図である。
【図１７】図１Ａの右側取付けユニットとこれに係合する引き戸側係合片とを示す横断平面図である。
【図１８】図１７の被係合片と引き戸側係合片とが係脱動作するときの横断平面図である。
【発明を実施するための形態】
【００１４】
図１に示す本発明の一実施例では、左右両側板１，２と天井板３とで囲まれた収納空間を開閉する２枚の引き違い引き戸４，５の閉止装置として、各引き戸４，５に係合片６，７が取り付けられると共に、天井板３の下側に２つの取付けユニット８が取り付けられている。係合片６，７は、各引き戸４，５の裏面の閉動側端部の上端近傍位置に取付け板部６ａ，７ａを介して取り付けられたもので、取付け板部６ａ，７ａの上端から内向きに連設された水平座部６ｂ，７ｂの上に垂直に突設された円柱状ピンから構成されている。内側の引き戸４に取り付けられる係合片６は、短い水平座部６ｂ上に当該引き戸４の裏面に接近するように突設されているが、外側の引き戸５に取り付けられる係合片７は、内側の引き戸４に取り付けられた係合片６と引き戸移動方向と平行な同一線上に位置するように、長い水平座部７ｂの先端部上に突設されている。各係合片６，７を介して引き戸４，５を閉動限位置に保持する２つの取付けユニット８は、同一構造のものであって、上下が逆になるように左右に反転させた状態で天井板３の底面に、引き戸移動方向と平行な同一線上に位置するように取り付けられている。
【００１５】
以下、取付けユニット８の構造を、図２〜図１５に基づいて説明すると、取付けユニット８は、互いに重ね合わされる２つの細長いケース部材９，１０、可動体１１、被係合片１２、引張コイルスプリング１３、ロータリーダンパー１４、及び２つの軟質合成樹脂製の帯状体１５，１６から構成されている。両ケース部材９，１０には、その長さ方向の両端間で内側辺に沿って結合用座部９ａ，１０ａが形成され、ケース部材９側の結合用座部９ａには、ケース部材９の長さ方向適当間隔おきに所要深さの結合用下孔１７が、当該結合用座部９ａの内側面から形成され、ケース部材１０側の結合用座部１０ａには、各結合用下孔１７に対応して複数の座繰り孔１８が形成され、ケース部材１０の外側から各座繰り孔１８を経由してケース部材９側の結合用下孔１７にタッピングネジ１９をねじ込むことにより、両ケース部材９，１０が一体化される。このとき、タッピングネジ１９の頭部は座繰り孔１８の座繰り部に嵌合して、ケース部材１０の外側には突出しない。
【００１６】
ケース部材９の内側には、結合用座部９ａに沿って全長にわたって凹溝部２０が形成され、可動体１１は、ケース部材９の凹溝部２０とケース部材１０との間にこれらケース部材９，１０の長さ方向に沿って滑動自在に嵌合している。この可動体１１には、ケース部材１０の内側に嵌合する部分に、引張コイルスプリング１３が遊嵌する凹窪部１１ａが当該可動体１１の移動方向（長さ方向）に沿って形成されると共に、この凹窪部１１ａを形成する内側の突条部１１ｂが当該可動体１１の長さ方向の一端、即ち、引き戸閉動方向ＣＤの一端から延出し、この突条部１１ｂの内側辺には、その延出先端部から所要長さ領域にわたってラックギヤ２１が一体形成され、突条部１１ｂの延出先端部には、垂直な軸受け孔２２が穿設されている。又、凹窪部１１ａの引き戸閉動方向ＣＤ側とは反対側、即ち、引き戸開動方向ＯＤ側の端部には、引張コイルスプリング１３の一端を係止する係止軸部１１ｃが一体形成されている。
【００１７】
被係合片１２は、可動体１１の一端から延出する突条部１１ｂの下側に配置されたもので、突条部１１ｂ側の軸受け孔２２に下から嵌合する垂直支軸２３と、この垂直支軸２３と同心状に反対側へ突出する第二垂直支軸２４と、この第二垂直支軸２４と同一側に突出する円柱状ピンから構成されたカム従動部２５と、引き戸４，５側の係合片６，７が嵌合する二股状係合部２６が一体形成されたものである。ケース部材９，１０の凹溝部２０に隣接する前側には、当該ケース部材９，１０の引き戸閉動方向ＣＤ側の端部から所要長さのスリット状開口２７が、両ケース部材９，１０の前側壁部の切欠きにより形成され、このスリット状開口２７から被係合片１２の二股状係合部２６が前側へ水平に突出するように構成されている。
【００１８】
ケース部材９の凹溝部２０の底面には、被係合片１２の第二垂直支軸２４が滑動自在に嵌合する案内溝２８と、被係合片１２のカム従動部２５が従動する姿勢制御用カム２９とが形成されている。案内溝２８は、凹溝部２０の引き戸閉動方向ＣＤ側の一端部２０ａから当該凹溝部２０の長さ方向に沿って所要長さだけ直線状に延びている。姿勢制御用カム２９は、カム従動部２５が滑動自在に嵌合する凹溝から形成されたもので、凹溝部２０の引き戸閉動方向ＣＤ側の一端部２０ａから当該凹溝部２０の長さ方向に沿って直線状に延びる、前記案内溝２８より少し長い直線経路部２９ａと、この直線経路部２９ａの終端から内側へ折曲連設された折曲経路部２９ｂから構成されている。この折曲経路部２９ｂの内側面２９ｃは、直線経路部２９ａの長さ方向に対して直角より大きな角度で折曲している。
【００１９】
ケース部材１０の内側には、当該ケース部材１０の引き戸閉動方向ＣＤ側の端部で、前記係止軸部１１ｃを通るケース部材１０の長さ方向と平行な直線上において、係止軸部３０が一体形成されている。引張コイルスプリング１３は、可動体１１の凹窪部１１ａに遊嵌する状態で、その一端が当該可動体１１側の係止軸部１１ｃに係止され、他端がケース部材１０側の係止軸部３０に係止されて、その引張力により可動体１１を引き戸閉動方向ＣＤに引っ張り、当該可動体１１の突条部１１ｂの延出先端部が凹溝部２０の一端部２０ａに当接する位置、即ち、引き戸閉動方向ＣＤ側の行程限に可動体１１を保持している。従って、垂直支軸２３を介して可動体１１と一体に移動する被係合片１２は、凹溝部２０の一端部２０ａに隣接する引き戸閉動方向ＣＤ側の行程限にあって、その二股状係合部２６が、ケース部材９，１０間の前側のスリット状開口２７から水平に突出している。
【００２０】
ロータリーダンパー１４は、円形平盤状のダンパー本体１４ａから上側に突出する受動軸１４ｂにピニオンギヤ３１が取り付けられたもので、ダンパー本体１４ａから直径方向両側に取付け片１４ｃ，１４ｄが突設されている。ケース部材９の結合用座部９ａの長さ方向中間位置には、ダンパー本体１４ａを支持する凹部３２と両取付け片１４ｃ，１４ｄを各別に挟んで位置決めする４本の柱状突起３３が一体形成され、ケース部材１０の結合用座部１０ａには、ピニオンギヤ３１が遊嵌する凹部３４が形成され、当該凹部３４の両側で結合用座部１０ａが柱状突起３３の上端に当接して、両ケース部材９，１０の結合用座部９ａ，１０ａ間でダンパー本体１４ａを位置決め固定している。
【００２１】
軟質合成樹脂製の帯状体１５は、姿勢制御用カム２９を構成する凹溝の深さと同一高さで、長さは、当該姿勢制御用カム２９の直線経路部２９ａの長さより少し短い程度のものであって、一端には柱状膨大部１５ａが一体形成されると共に、その外側面には、長さ方向適当間隔おきに複数の突起１５ｂが一体形成されている。これら各突起１５ｂは、外端径が内端径より若干大きい裁頭円錐形のものである。この帯状体１５は、姿勢制御用カム２９の直線経路部の終端（折曲経路部２９ｂに続く引き戸開動方向ＯＤ側の端部）側領域の両側面の内、折曲経路部２９ｂが折曲する側とは反対の外側面に形成された切欠き凹部３５内に面一に取り付けられる。即ち、切欠き凹部３５の一端には、当該帯状体１５の一端の柱状膨大部１５ａが垂直に嵌入固定される柱状凹部３５ａが連設されると共に、当該切欠き凹部３５の内側面には、当該帯状体１５の各突起１５ｂが水平に嵌入固定される複数の孔３５ｂが設けられている。これら各孔３５ｂは、帯状体１５側の各突起１５ｂの長さと略同一厚さのケース部材９の前側壁部を水平に貫通するもので、帯状体１５側の各突起１５ｂの内端径と略同一内径の円柱状孔である。従って、帯状体１５の取り付けは、一端の柱状膨大部１５ａを柱状凹部３５ａに垂直に嵌入固定した状態で、各突起１５ｂを、その外端大径部を弾性に抗して縮小させた状態で各孔３５ｂに押し込むようにして、帯状体１５を切欠き凹部３５内に面一に嵌合固定することが出来る。勿論、必要に応じて接着剤を併用しても良い。このようにして姿勢制御用カム２９の直線経路部２９ａの終端側領域の外側の面に取り付けられた軟質合成樹脂製の帯状体１５は、その直線経路部２９ａに面する側面が、被係合片１２のカム従動部２５に対する制動面３６を構成している。
【００２２】
軟質合成樹脂製の第二の帯状体１６は、案内溝２８を構成する凹溝の深さと同一高さで、長さは、当該案内溝２８の長さより十分に短いものであって、両端には柱状膨大部１６ａ，１６ｂが互いに反対側に突出するように一体形成されている。これら各柱状膨大部１６ａ，１６ｂには、その下端側に大径鍔部１６ｃが一体形成されている。この帯状体１６は、案内溝２８の両側面の内、姿勢制御用カム２９の直線経路部２９ａのある側とは反対側の側面に形成された切欠き凹部３７内に面一に取り付けられる。即ち、切欠き凹部３７の両端には、前記柱状膨大部１６ａ，１６ｂが垂直に嵌入される柱状凹部３７ａ，３７ｂが連設され、これら柱状凹部３７ａ，３７ｂの下端には、前記大径鍔部１６ｃ，１６ｄと略同一厚さのケース部材９の底壁部を貫通する大径孔部３７ｃが同心状に形成されている。従って、この第二の帯状体１６の取り付けは、両端の柱状膨大部１６ａ，１６ｂを、その下端の大径鍔部１６ｃを弾性に抗して縮小させた状態で柱状凹部３７ａ，３７ｂ内に垂直に押し込み、下端の大径鍔部１６ｃを各柱状凹部３７ａ，３７ｂの下端の大径孔部３７ｃ内に弾性復帰により嵌合させることにより、切欠き凹部３７内に面一に取り付けられる。勿論、必要に応じて接着剤を併用しても良い。このようにして案内溝２８の終端側領域の内側の面に取り付けられた軟質合成樹脂製の第二の帯状体１６は、その案内溝２８に面する側面が、被係合片１２の第二垂直支軸２４に対する第二の制動面３８を構成する。
【００２３】
以上のように構成された取付けユニット８は、軟質合成樹脂製の帯状体１５，１６が取り付けられたケース部材９とケース部材１０との間に、可動体１１、被係合片１２、引張コイルスプリング１３、及びロータリーダンパー１４を収納した状態で、タッピングネジ１９により両ケース部材９，１０を互いに締結一体化して組み立てられるが、両ケース部材９，１０には、その結合用座部９ａ，１０ａの長さ方向の２箇所において、垂直に貫通する取付け用孔３９が設けられている。これら取付け用孔３９は、両端にそれぞれ座繰り部３９ａ，３９ｂが形成された対称形状のものである。又、取付けユニット８の前側のスリット状開口２７から水平に突出する被係合片１２の二股状係合部２６は、取付けユニット８の厚さ方向の中央に位置している。
【００２４】
従って、同一構造の２つの取付けユニット８を準備し、これら２つの取付けユニット８を、図１に示すように、上下が逆になるように左右を反転させ、それぞれの引き戸閉動方向ＣＤの端部が左右両側板１，２に隣接するように配置し、図１６に示すように、天井板３の底面にケース部材９の外側面又はケース部材１０の外側面を当て付け、それぞれ取付け用孔３９に下側から挿通した取付け用ネジ４０を天井板３にねじ込むことにより取り付けられる。
【００２５】
被係合片１２を垂直支軸２３により軸支した可動体１１は、引張コイルスプリング１３の引張力により引き戸閉動方向の行程限に保持されるが、このとき、図１７に示すように、当該可動体１１に垂直支軸２３を介して軸支されている被係合片１２は、そのカム従動部２５が、垂直支軸２３に対して引き戸開動方向ＯＤ側で且つ垂直支軸２３と同心状の第二垂直支軸２４が嵌合する案内溝２８より前側に位置する姿勢制御用カム２９の直線経路部２９ａ内に嵌合していて、垂直支軸２３の周りでの回転が止められ、その二股状係合部２６がケース部材９，１０間のスリット状開口２７から直角横向きに突出する係合姿勢に規制されている。
【００２６】
この係合姿勢にある被係合片１２は、その二股状係合部２６を指先で引き戸開動方向ＯＤに引張コイルスプリング１３の付勢力に抗して引っ張ることにより、引き戸開動方向ＯＤに移動させることが出来る。引き戸開動方向ＯＤへ移動する被係合片１２が、そのカム従動部２５が姿勢制御用カム２９の直線経路部２９ａの終端から折曲経路部２９ｂ内に進入する位置に達すると、以降の被係合片１２の二股状係合部２６に対する引き戸開動方向ＯＤへの操作力により、カム従動部２５が折曲経路部２９ｂ内に進入するのに伴って、被係合片１２が垂直支軸２３の周りに引き戸開動方向ＯＤへ水平に回動し、図１８に示すように、カム従動部２５が折曲経路部２９ｂの終端に達したときには、被係合片１２は傾倒姿勢に切り換わり、その二股状係合部２６は、この二股状係合部２６を構成する一対の爪部２６ａ，２６ｂの内、引き戸閉動方向ＣＤ側の爪部２６ａのみが引き戸４，５側の係合片６，７の移動経路中に突出する状態になる。この引き戸開動方向ＯＤの行程限まで移動して傾倒姿勢に切り換えられた被係合片１２は、垂直支軸２３及び可動体１１を介して引張コイルスプリング１３の引き戸閉動方向ＣＤの引張力を受けているので、そのカム従動部２５が折曲経路部２９ｂの傾斜した内側面２９ｃに圧接し、当該折曲経路部２９ｂの終端位置から直線経路部２９ａ側へ移動することは阻止されている。即ち、引き戸開動方向ＯＤの行程限に達した被係合片１２は、二股状係合部２６に対する引き戸開動方向ＯＤへの操作力から開放させても、傾倒姿勢に自動的に保持される。
【００２７】
従って、上記のように所定位置に取付けユニット８を取り付けたならば、或いは取り付ける前に、被係合片１２を引き戸開動方向ＯＤの行程限まで移動させて傾倒姿勢に切り換えておく。この後、閉じ限位置から離れた位置にある引き戸４，５を閉動させると、図１８に示すように、引き戸開動方向ＯＤの行程限で傾倒姿勢に保持されている被係合片１２の二股状係合部２６の爪部２６ａを引き戸４，５側の係合片６，７が引き戸閉動方向ＣＤに押すことになり、傾倒姿勢に保持されている被係合片１２が垂直支軸２３の周りに引き戸閉動方向ＣＤに回動し、そのカム従動部２５が姿勢制御用カム２９の折曲経路部２９ｂから直線経路部２９ａへ移動する。カム従動部２５が直線経路部２９ａ内に進入したとき、当該被係合片１２は傾倒姿勢から係合姿勢に切り換わり、引き戸４，５側の係合片６，７が二股状係合部２６の一対の爪部２６ａ，２６ｂ間に相対的に嵌入することになる。この後は、引き戸閉動方向ＣＤの行程限に達するまで被係合片１２は、カム従動部２５と姿勢制御用カム２９の直線経路部２９ａとの嵌合により係合姿勢を維持するので、引き戸４，５から手を離しても、当該引き戸４，５は、引張コイルスプリング１３の引張力を可動体１１から係合姿勢の被係合片１２及び係合片６，７を経由して継続的に受けることになるので、確実に閉動限まで自動的に閉じさせることが出来ると共に、閉動限に達した引き戸４，５を当該閉動限位置に保持することが出来る。
【００２８】
以上にようにして各引き戸４，５の係合片６，７を各取付けユニット８の係合姿勢の被係合片１２の二股状係合部２６に係合させたならば、後は、通常通りに引き戸４，５を開閉操作することが出来る。即ち、閉じている引き戸４，５は、前記のように引き戸側の係合片６，７が係合する各取付けユニット８の係合姿勢にある被係合片１２から引張コイルスプリング１３の引き戸閉動方向ＣＤへの引張力を受けて、閉動限位置に付勢保持されているが、この引き戸４，５を開くために引き戸開動方向ＯＤに引っ張ると、引き戸側の係合片６，７が係合している係合姿勢の被係合片１２と可動体１１とが引張コイルスプリング１３の引張力に抗して引き戸４，５と一体に引き戸開動方向ＯＤへ移動し、引き戸４，５の開動を許す。被係合片１２及び可動体１１が引き戸開動方向ＯＤの行程限に達するまでは、被係合片１２のカム従動部２５が姿勢制御用カム２９の直線経路部２９ａ内を滑動し、被係合片１２を係合姿勢に保持しているが、被係合片１２及び可動体１１が引き戸開動方向ＯＤの行程限に達する位置まで引き戸４，５が開かれると、図１８に基づいて先に説明したように、その後の引き戸４，５の開動に伴って被係合片１２が係合姿勢から傾倒姿勢に切り換えられ、引き戸側の係合片６，７が被係合片１２の二股状係合部２６から引き戸開動方向ＯＤへ離脱し、その後は引き戸４，５のみが開動することになり、被係合片１２は、引き戸開動方向ＯＤの行程限において傾倒姿勢のまま停止し保持される。
【００２９】
開いている引き戸４，５を閉じるために閉動方向に移動させると、図１８に基づいて先に説明したように、引き戸開動方向ＯＤの行程限において傾倒姿勢のまま待機している被係合片１２の位置を引き戸側の係合片６，７が引き戸閉動方向に通過するとき、当該引き戸側の係合片６，７が傾倒姿勢の被係合片１２の二股状係合部２６内に嵌入しながら当該被係合片１２を傾倒姿勢から係合姿勢に切り換えると共に、当該被係合片１２が可動体１１と共に引き戸閉動方向ＣＤに移動出来る状態に切り換えるので、この後は、係合姿勢の被係合片１２と可動体１１とが閉動する引き戸４，５と一体に引き戸閉動方向ＣＤに移動することになる。このとき、係合姿勢の被係合片１２と可動体１１には、引張コイルスプリング１３の引張力が引き戸閉動方向ＣＤに作用しているので、引き戸４，５から手を離しても、当該引き戸４，５を引張コイルスプリング１３の引張力により確実に閉動限位置まで移動させることが出来る。そして閉動限位置に達した引き戸４，５は、図１７に基づいて説明したように、可動体１１、係合姿勢の被係合片１２、及び係合片６，７を介して引張コイルスプリング１３の引き戸閉動方向ＣＤへの引張力を継続的に受けるので、閉動限位置に確実に保持される。
【００３０】
又、引き戸側の係合片６，７が傾倒姿勢の被係合片１２の二股状係合部２６内に嵌入しながら当該被係合片１２を傾倒姿勢から係合姿勢に切り換えるとき、垂直支軸２３の周りに回動する被係合片１２のカム従動部２５が、姿勢制御用カム２９の折曲経路部２９ｂ内から直線経路部２９ａ内に進入すると共に、当該直線経路部２９ａの外側の側面を構成する帯状体１５、即ち、制動面３６に衝突することになる。そしてそのときの反力で、被係合片１２の第二垂直支軸２４が案内溝２８の側面を構成する第二の帯状体１６、即ち、第二の制動面３８に圧接することになる。この結果、そのときの引き戸４，５の閉動方向への移動に対して、被係合片１２のカム従動部２５と制動面３６との圧接、及び被係合片１２の第二垂直支軸２４と第二の制動面３８との圧接が制動力として働き、引き戸４，５の閉動方向への移動にブレーキがかけられる。即ち、引き戸４，５が不当に勢い良く閉じられる状況でも、引き戸側の係合片６，７が被係合片１２を傾倒姿勢から係合姿勢に切り換えるときに自動的に制動減速される。
【００３１】
この後、減速された引き戸４，５から手を離しても、先に説明したように、当該引き戸４，５は引張コイルスプリング１３の引張力により自動的に閉動限位置まで移動して保持されるのであるが、この閉動限までの引き戸４，５の移動時には、引張コイルスプリング１３の引張力が係合姿勢の被係合片１２の垂直支軸２３に作用するので、当該被係合片１２のカム従動部２５は制動面３６から離れる方向の回転力を受け、当該カム従動部２５は、姿勢制御用カム２９の直線経路部２９ａにおける内側の側面（制動面３６に対面する側の側面）に摺接しながら、円滑に引き戸閉動方向ＣＤに移動することが出来る。勿論、被係合片１２の第二垂直支軸２４も、案内溝２８の第二の制動面３８に圧接することはなく、円滑に引き戸閉動方向ＣＤに移動することが出来る。
【００３２】
而して、引き戸４，５は、係合姿勢の被係合片１２及び可動体１１と一体に閉動方向に移動することになるが、このとき、可動体１１側のラックギヤ２１にピニオンギヤ３１を介して連動するロータリーダンパー１４の受動軸１４ｂが回転することになる。即ち、係合姿勢の被係合片１２及び可動体１１と一体に閉動方向に移動する引き戸４，５に対して、ロータリーダンパー１４がその閉動方向の移動に対して制動をかけることになり、引き戸４，５は緩やかに閉動限位置に達することになる。引き戸４，５が閉動限位置に達したとき、図１７に示すように、可動体１１側のラックギヤ２１からロータリーダンパー１４側のピニオンギヤ３１が離れるように構成しておけば、閉動限に達した引き戸４，５を引張コイルスプリング１３の引張力で左右両側板１，２に強く押し当てて保持させることが出来る。
【００３３】
勿論、引き戸４，５が閉動限位置から開かれるときも、被係合片１２が引き戸開動方向ＯＤの行程限に達するまでは、可動体１１が当該引き戸４，５と一体に引き戸開動方向ＯＤに移動するのであるから、このときの可動体１１の移動に連動してロータリーダンパー１４の受動軸１４ｂが逆方向に回転する。受動軸１４ｂの正逆何れの回転に対しても制動作用が機能するロータリーダンパー１４であるときは、開動方向に移動させる引き戸４，５に対しては、引張コイルスプリング１３を引き伸ばすときの負荷とロータリーダンパー１４の制動力の両方が作用することになるので、このときの引き戸４，５に作用する負荷を減らすために、可動体１１が引き戸開動方向ＯＤに移動するときにはロータリーダンパー１４の制動力が引き戸４，５側に作用しないように構成するのが望ましい。具体的には、受動軸１４ｂが一方向に回転するときのみ制動作用が働く一方向ロータリーダンパーを採用するか又は、受動軸１４ｂとピニオンギヤ３１との間に一方向クラッチを介装すれば良い。
【００３４】
尚、本発明に係る引き戸の閉止装置は、ロータリーダンパー１４や第二の制動面３８は必須のものではなく、場合によっては省いて実施することも出来る。又、引き戸４，５によって開閉される収納空間内に中間棚が設けられているときは、取付けユニット８を中間棚の前側辺の下側又は上側に取り付け、引き戸４，５側の係合片６，７も当該取り付けユニット８に対応する引き戸中間高さに取り付けることができる。勿論、１枚の引き戸のみが使用される場合にも、本発明の引き戸の閉止装置は活用できる。
【産業上の利用可能性】
【００３５】
本発明の引き戸の閉止装置は、各種収納家具の収納空間や、建物の一部に作り付けされた収納空間を開閉するための引き戸を、閉動限近くまで閉じられさえすれば確実に閉動限まで自動的に移動させて保持させることが出来る引き戸の閉止装置として活用出来る。
【符号の説明】
【００３６】
１，２    収納空間の左右両側板
３    収納空間の天井板
４，５    引き戸
６，７    係合片
８    取付けユニット
９，１０    ケース部材
１１    可動体
１２    被係合片
１３    引張コイルスプリング
１４    ロータリーダンパー
１５，１６    軟質合成樹脂製の帯状体
１５ａ，１６ａ，１６ｂ    柱状膨大部
１５ｂ    突起
１６ｃ，１６ｄ    大径鍔部
１９    タッピングネジ
２０    凹溝部
２１    ラックギヤ
２３    垂直支軸
２４    第二垂直支軸
２５    カム従動部
２６    二股状係合部
２７    スリット状開口
２８    案内溝
２９    姿勢制御用カム
２９ａ    直線経路部
２９ｂ    折曲経路部
２９ｃ    傾斜した内側面
３１    ピニオンギヤ
３６，３８    制動面
４０    取付け用ネジ
【図１】
2011226188.tif 000003
【図２】
2011226188.tif 000004
【図３】
2011226188.tif 000005
【図４】
2011226188.tif 000006
【図５】
2011226188.tif 000007
【図６】
2011226188.tif 000008
【図７】
2011226188.tif 000009
【図８】
2011226188.tif 000010
【図９】
2011226188.tif 000011
【図１０】
2011226188.tif 000012
【図１１】
2011226188.tif 000013
【図１２】
2011226188.tif 000014
【図１３】
2011226188.tif 000015
【図１４】
2011226188.tif 000016
【図１５】
2011226188.tif 000017
【図１６】
2011226188.tif 000018
【図１７】
2011226188.tif 000019
【図１８】
2011226188.tif 000020